(57)【特許請求の範囲】
【請求項１】
外壁部材を支持可能に構成された外壁部材の支持具を用いた施工構造であって、
前記外壁部材の支持具は、前記建物躯体に取り付け固定されるよう構成された取付固定部と、
該取付固定部に接続されると共に該取付固定部と交差する方向に延出するよう構成された延出部と、
を備え、
前記取付固定部は、前記建物躯体に直接的または間接的に当接するよう構成された平板部と、前記平板部から前記延出部の延出方向に向かって凹み状に、前記支持具の長手方向全域に亘って連続するよう形成された回避部と、を有しており、
前記平板部は、前記延出部が接続される第１平板部と、前記回避部を挟んで該第１平板部とは反対側に配置された第２平板部と、を有し、
前記延出部は、前記第１平板部に接続されると共に複数の貫通穴を有する基部と、該基部から延出した折曲部とにより前記建物躯体に対して所定距離離れた位置に前記外壁部材を支持するよう構成されており、
前記第１平板部から前記第２平板部に向かう方向において、前記第１平板部の長さは、前記折曲部の長さよりも長く、
前記外壁部材の支持具は、前記建物躯体に取り付け固定されている水切り材と防水紙を、前記平板部と前記建物躯体との間で挟むと共に、前記折曲部が前記外壁部材を支持し、前記第２平板部の上端と前記回避部が前記外壁部材から離れ、前記外壁部材と前記建物躯体の間が所定距離離れた状態で該建物躯体に取り付けられており、
前記第２平板部の前記上端は、直角な断面であると共に前記防水紙に記した基準線と位置が合っており、
前記水切り材を固定する締結部材の頭部は、前記回避部内に収容されており、
前記貫通穴は、前記取付固定部と交差する方向において、前記回避部の下方から前記回避部よりも前記折曲部側にまで延びている
外壁部材の支持具を用いた施工構造。
【請求項２】
前記平板部は、前記外壁部材の支持具を固定する締結部材が挿通される複数の挿通穴を有しており、
該複数の挿通穴は、前記第１平板部から前記第２平板部に向かう方向に長い長穴と、円形の穴に構成されている請求項１に記載の外壁部材の支持具を用いた施工構造。
【請求項３】
前記複数の挿通穴は、前記第１平板部のみに形成されている請求項２に記載の外壁部材の支持具を用いた施工構造。
【発明の詳細な説明】
【技術分野】
【０００１】
本発明は、外壁部材を支持するための外壁部材の支持具に関する。
【背景技術】
【０００２】
特許文献１には、縦片と、当該縦片の一端に当該縦片に対して垂直方向に突出するよう設けられた横片と、を備える外壁部材の支持具が記載されている。当該支持具は、水切り材を介して建物躯体に取り付けられた胴縁に、縦片が取り付け固定された状態で、横片に外壁部材の下端を載置するように構成されている。
【０００３】
当該支持具では、縦片および横片の先端部を外壁部材が載置される側となる内側へ折り返して折り返し部を構成し、当該折り返し部に外壁部材を当接させて支持する構成である。このため、外壁部材と縦片および横片との間に隙間が形成されて、外壁部材と支持具との間に侵入した雨水や結露水を効率よく排出することができる。
【先行技術文献】
【特許文献】
【０００４】
【特許文献１】特開２００９−２７０３６２号公報
【発明の概要】
【発明が解決しようとする課題】
【０００５】
ところで、近年、省資源、低価格の観点から胴縁を省略する工法が採用される場合がある。この場合、支持具は、水切り材を介して直接建物躯体に取り付け固定される。しかし、上述した支持具では、縦片が平板状であるため、水切り材を建物躯体に取り付け固定する釘やネジなどの頭部等から構成される突出部に縦片が乗り上げ、支持具が建物躯体に対して傾いた状態で取り付けられる場合がある。
【０００６】
また、上述した支持具では、縦片の先端部が折り返されているため、縦片の先端位置を作業者が目視により確認することが困難となる。このため、建物躯体に記した支持具取り付け用の基準線（墨出し線）に当該縦片を合わせ難く、支持具を建物躯体の所定の位置に精度よく取り付けることが困難となる。
【０００７】
本発明は、上記に鑑みてなされたものであり、胴縁を用いることなく水切り材を介して支持具を建物躯体に取付ける場合において、当該支持具が建物躯体に対して傾いた状態で取り付けられることを防止できる支持具を提供することを目的の一つとする。
【課題を解決するための手段】
【０００８】
本発明の支持具は、上述の目的を達成するために以下の手段を採った。
【０００９】
本発明に係る支持具の好ましい形態によれば、建物躯体に取り付け固定される水切り材を、建物躯体との間で挟んだ状態で当該建物躯体に取り付けられると共に、外壁部材を支持可能に構成された外壁部材の支持具が構成される。当該支持具は、建物躯体に取り付け固定されるように構成された取付固定部と、当該取付固定部に接続されると共に当該取付固定部と交差する方向に延出するように構成された延出部と、を備えている。取付固定部は、平板部と、回避部と、を有している。平板部は、建物躯体に直接的または間接的に当接するように構成されている。回避部は、水切り材の平板部に対向する面に突出状に設けられた突出部を回避するように構成されている。そして、延出部は、貫通穴を有すると共に建物躯体に対して所定距離離した状態で外壁部材を支持するように構成されている。
【００１０】
本発明における「建物躯体」には、基礎の上に水平に固定された角材（土台）の他、間柱を含む柱や、床を支える床梁を包含する。また、本発明における「交差する方向」とは、典型的には、取付固定部に対して直交する方向がこれに該当する。さらに、本発明における「突出部」とは、典型的には、水切り材を建物躯体に締結するためのネジや釘などの締結部材の頭部が該当するが、水切り材の材端に設けた折り返し部分を包含する。また、本発明における「建物躯体に取り付けられる」態様としては、平板部が水切り材を介して建物躯体に間接的に当接する態様を包含する。
【００１１】
本発明によれば、取付固定部に回避部を有する構成であるため、水切り材を建物躯体に締結するためのネジや釘などの締結部材の頭部や、水切り材の材端に設けた折り返し部分などによる支持具の不陸を良好に防止することができる。
【００１２】
また、延出部が建物躯体に対して所定距離離れた位置で外壁部材を支持するように構成されているため、外壁部材と建物躯体との間に所定の隙間を確保することができ、従来のように取付固定部や延出部に折り返し部を設けなくても、外壁部材と建物躯体との間の通気性および排水性を確保することができる。
【００１３】
さらに、取付固定部に折り返し部を設けなくて良いため、取付固定部の端部のうち延出部が接続された側とは反対側の端部を、水平面を有する断面が角形の端部とすることができる。これにより、作業者による取付固定部の端部の確認が容易となり、支持具を取り付けるために建物躯体に記した基準線（墨出し線）に沿って支持具を正確に位置合わせすることができる。この結果、施工性を向上させることができる。
【００１４】
本発明に係る支持具の更なる形態によれば、回避部は、平板部から延出部の延出方向に向かって凹み状に形成された凹部として構成されている。
【００１５】
本形態によれば、回避部として平板部に穴を設ける構成に比べて支持具の強度低下を防止することができる。
【００１６】
本発明に係る支持具の更なる形態によれば、凹部は、支持具の長手方向全域に亘って連続するように構成されている。
【００１７】
本形態によれば、凹部によって支持具の曲げ剛性を向上することができる。
【００１８】
本発明に係る支持具の更なる形態によれば、凹部は、外壁部材の一部に当接するように構成されていると共に、外壁部材と建物躯体との間に構成された領域を貫通穴を介して外気に連通させる連通穴を有するように構成されている。
【００１９】
本形態によれば、外壁部材と建物躯体との間の通気性および排水性を低下することなく、外壁部材を安定して支持することができる。
【００２０】
本発明に係る支持具の更なる形態によれば、平板部は、延出部が接続される第１平板部と、回避部を挟んで第１平板部とは反対側に配置された第２平板部と、を備えている。
【００２１】
本形態によれば、回避部を挟んだ二つの平板部によって支持具が建物躯体に取り付けられる構成であるため、支持具の建物躯体への取り付けをより安定して行うことができる。
【００２２】
本発明に係る支持具の更なる形態によれば、支持具は、締結部材によって建物躯体に取り付け固定されるように構成されている。また、平板部は、締結部材が挿通される複数の挿通穴を有している。そして、複数の挿通穴の少なくとも二つは、取付固定部の長手方向に対して直交する方向に長い長穴に構成されている。
【００２３】
本形態によれば、長穴を用いて支持具を建物躯体に仮固定した状態で、支持具を墨出し線に沿うよう位置調整を行うことができるため、施工性をより一層向上することができる。
【発明の効果】
【００２４】
本発明によれば、胴縁を用いることなく水切り材を介して支持具を建物躯体に取付ける場合において、当該支持具が建物躯体に対して傾いた状態で取り付けられることを防止することができる支持具を提供することができる。
【図面の簡単な説明】
【００２５】
【図１】本発明の実施の形態に係るスタータ金具１の構成の概略を示す正面図である。
【図２】スタータ金具１を図１の矢印Ａ方向から見た側面図である。
【図３】図２のＢ−Ｂ断面を示す断面図である。
【図４】スタータ金具１を用いた外壁部材７０の施工の様子を示す斜視断面図である。
【図５】スタータ金具１を用いた外壁部材７０の施工の様子を示す側面断面図である。
【図６】スタータ金具１を用いた外壁部材７０の別の施工の様子を示す側面断面図である。
【図７】変形例のスタータ金具１００の側面図である。
【図８】変形例のスタータ金具２００の側面図である。
【図９】変形例のスタータ金具３００の側面図である。
【図１０】変形例のスタータ金具４００の側面図である。
【図１１】変形例のスタータ金具５００の側面図である。
【図１２】変形例のスタータ金具６００の側面図である。
【図１３】変形例のスタータ金具７００の側面図である。
【図１４】変形例のスタータ金具８００の側面図である。
【図１５】変形例のスタータ金具９００の側面図である。
【発明を実施するための形態】
【００２６】
次に、本発明を実施するための最良の形態を実施例を用いて説明する。
【実施例】
【００２７】
本発明の実施の形態に係る「支持具」としてのスタータ金具１は、図１および図２に示すように、鋼板などの長尺状の金属板を折曲加工することにより、土台５０に取り付けられた際に、図１のＡ方向から見て側面視略逆Ｌ字形に構成されている。スタータ金具１は、土台５０に取付け固定される縦片２と、当該縦片２に対して略直交する方向に延出する横片４と、を備えている。
【００２８】
土台５０は、「建物躯体」の一例である。また、縦片２は、「取付固定部」の一例であり、横片４は、「延出部」の一例である。
【００２９】
なお、本実施の形態では、便宜上、図２の紙面上方向又は上方向側を、「上方」ないし「上側」として規定し、図２の紙面下方向又は下方向側を、「下方」ないし「下側」として規定する。また、図２の紙面左方向又は左方向側を、「左方」ないし「左側」として規定し、図２の紙面右方向又は右方向側を、「右方」ないし「右側」として規定する
【００３０】
縦片２は、図２に示すように、土台５０に直接的ないし間接的に当接する平板部２２と、当該平板部２２に対して凹み状に形成された凹溝部２４と、を備えている。即ち、平板部２２は、凹溝部２４を挟んで上側に配置された上側平板部２２ａと、下側平板部２２ｂと、を有している。
【００３１】
平板部２２は、「平板部」の一例であり、凹溝部２４は、「回避部」の一例である。また、上側平板部２２ａは、「第２平板部」の一例であり、下側平板部２２ｂは、「第１平板部」の一例である。
【００３２】
上側平板部２２ａには、図１に示すように、長手方向に沿って複数の貫通穴１２，１３が形成されている。貫通孔１２は、円形の穴である。貫通穴１３は、上下方向に長い長穴として構成されており、上側平板部２２ａの長手方向のうち両端部および中央部の三箇所に設けられている。貫通穴１２,１３は、「挿通穴」の一例である。
【００３３】
凹溝部２４は、図２に示すように、横片４の延出方向（図２の左側）と同方向に突出するように構成されており、図２において略長方形状に構成されている。なお、凹溝部２４は、図１に示すように、スタータ金具１の長手方向の全域に亘って連続して設けられている。これにより、スタータ金具１自体の曲げ剛性を向上することができる。
【００３４】
さらに、凹溝部２４の大きさ、即ち、図２における上下方向及び左右方向の幅は、水切り材８０を土台５０に取り付ける際に想定されるネジ９２の頭部９２ａを包囲するのに十分な大きさに設定されている。
【００３５】
横片４は、図２に示すように、基部４２と、折曲部４４と、から構成されている。基部４２は、下側平板部２２ｂの下端から連続して設けられ、下側平板部２２ｂとのなす角が略直角となるように構成されている。また、基部４２には、図３に示すように、スタータ金具１の長手方向に沿って複数の通気穴４０が形成されている。
【００３６】
なお、基部４２の延出方向の長さは、本実施形態では、基部４２に後述する外壁部材７０を支持した状態において、外壁部材７０が凹溝部２４に当接しない程度の長さに設定されている。
【００３７】
折曲部４４は、基部４２の端部を上方に折り曲げることにより構成されている。折曲部４４は、基部４２とのなす角が鈍角となるように構成されている。
【００３８】
次に、こうして構成されたスタータ金具１を用いた外壁部材７０の施工について説明する。なお、本実施形態では、外壁部材７０の長手方向が水平方向となるように外壁部材７０を取り付ける横張り工法による施工の場合を説明する。
【００３９】
まず、図４および図５に示すように、コンクリートで形成された基礎６０の上端にアンカーボルト等（図示せず）によって取り付け固定された土台５０の屋外側（図４および図５の左側）の面に、水切り材８０をネジ９２を用いて取り付け固定する。水切り材８０は、当該水切り材８０を土台５０に水平に取り付けるために当該土台５０の屋外側の面に記した基準線（墨出し線）に合わせて取り付けられる。
【００４０】
次に、土台５０および当該土台５０に立設された図示しない柱材に対して屋外側（図４および図５の左側）から防水紙８２をステープル等で貼り付ける。なお、この際、防水紙８２は張った状態となるよう貼り付けることが望ましく、また、防水紙８２と水切り材８０とを両面防水テープ等を用いて接着しておくことが望ましい。
【００４１】
続いて、スタータ金具１の上側平板部２２ａに設けた貫通穴１３にスタータ固定ネジ９４を挿通し、スタータ金具１の平板部２２と土台５０との間に防水紙８２および水切り材８０を挟んだ状態で、当該スタータ固定ネジ９４をねじ込むことによりスタータ金具１を土台５０に仮固定する。スタータ固定ネジ９４は、「締結部材」の一例である。
【００４２】
そして、スタータ金具１の上端部、即ち、上側平板部２２ａの上端が、スタータ金具１を土台５０に水平に取り付けるために防水紙８２の屋外側の面に記した基準線（墨出し線）に合うようにスタータ金具１を上下移動させながら位置合わせして水平になった時点でスタータ固定ネジ９４の本締めを行う。さらに貫通穴１２にもスタータ固定ネジ９４を挿通してスタータ金具１の土台５０への取り付け固定を完了する。
【００４３】
ここで、スタータ金具１の縦片２の上端、即ち、上側平板部２２ａの上側の部材端のままの上端が、水平面を有する直角な断面となっているため、上側平板部２２ａの上端を目視により確認し易い。このため、作業者は、上述した基準線（墨出し線）にスタータ金具１を位置合わせし易く、スタータ金具１を土台５０に対して精度よく水平に取り付けることができる。
【００４４】
また、貫通孔１３が長穴として構成されており、上下方向の位置調整が容易であるため、スタータ金具１の基準線（墨出し線）に対する位置合わせを調整し易いものとなっている。
【００４５】
さらに、水切り材８０の屋外側（図４および図５の左側）の面から突出したネジ９２の頭部９２ａは、スタータ金具１の縦片２の凹溝部２４内に収容されるため、スタータ金具１が傾いた状態で土台５０に取り付けられることを良好に防止することができる。ネジ９２の頭部９２ａは、「突出部」の一例である。
【００４６】
また、上側平板部２２ａおよび下側平板部２２ｂの両方が直接的あるいは水切り材８０を介して間接的に土台５０に当接する構成であるため、スタータ金具１の土台５０への取り付けがより安定する。
【００４７】
そして、こうして土台５０に取り付け固定されたスタータ金具１の横片４の基部４２に外壁部材７０を載置することにより、最下段の外壁部材７０の下端の施工が完了する。なお、外壁部材７０の下端面には、長手方向（水平方向）に沿う切欠き溝７０ａが形成されており、外壁部材７０を基部４２に載置する際に、スタータ金具１の横片４の折曲部４４が、切欠き溝７０ａに挿入されて嵌め合わされることにより施工される。
【００４８】
このように施工された外壁部材７０と土台５０との間には、図５に示すように、所定の隙間Ｌが確保されているため、外壁部材７０の屋内側（図５の右側）に侵入した雨水や、外壁部材７０の屋内側に生じた結露水などを、基部４２の通気穴４０を介して良好に排出することができると共に、通気性を確保することができる。
【００４９】
本実施の形態では、水切り材８０を土台５０に取り付け固定するためのネジ９２の頭部９２ａが凹溝部２４内に収容される構成としたが、これに限らない。例えば、図６の変形例に例示するように、水切り材８０が上端部に折返部８０ａを有する構成の場合には、当該折返部８０ａが凹溝部２４内に収容される構成としても良い。なお、このような構成の水切り材８０を用いる場合には、水切り材８０の土台５０への取り付けを両面テープなどを用いて行う場合もある。折返部８０ａは、「突出部」の一例である。
【００５０】
本実施の形態および上述した変形例では、スタータ金具１に外壁部材７０を支持した状態において、外壁部材７０の内壁面が凹溝部２４に当接しない構成としたが、スタータ金具１に外壁部材７０を支持した状態において、外壁部材７０の内壁面が凹溝部１２４に当接する構成としても良い。
【００５１】
この場合、図７の変形例のスタータ金具１００に例示するように、凹溝部１２４を構成する底壁部１２４ａに外壁部材７０の内壁面を当接させる構成とすると共に、外壁部材７０と土台５０との間に構成される空間を通気穴４０を介して外気と連通させるための連通穴１２５，１２５を凹溝部１２４を構成する突出壁部１２４ｂ，１２４ｂに形成する構成とする。
【００５２】
当該構成によれば、本実施形態が奏する効果と同様の効果に加えて、外壁部材７０をより安定して支持することができるという効果を奏することができる。
【００５３】
本実施の形態では、凹溝部２４を図２において略長方形状としたが、これに限らない。例えば、図２に対応する図８の変形例のスタータ金具２００に例示するように、凹溝部２２４を図８において略円形状としても良い。また、図２に対応する図９の変形例のスタータ金具３００に例示するように、凹溝部３２４を図９において略三角形状としても良い。あるいは、図２に対応する図１０の変形例のスタータ金具４００に例示するように、凹溝部４２４を図１０において水平面を有する略三角形状としても良いし、図２に対応する図１１の変形例のスタータ金具５００に例示するように、凹溝部５２４を図１１において略台形状としても良い。さらには、図２に対応する図１４の変形例のスタータ金具８００に例示するように、凹溝部８２４を図１４において略台形状とすれば、防水紙８２の屋外側を伝わい流れる侵入水がスタータ金具８００の凹溝部８２４の上部に溜まることなく連通穴１２５および貫通穴４０を通り水切り材８０から屋外に排出することができる。同様に図２に対応する図１５の変形例のスタータ金具９００においても、凹溝部９２４を略平行四辺形とすれば防水紙８２の屋外側を伝わい流れる侵入水がスタータ金具９００の凹溝部９２４の上部に溜まることなく連通穴１２５および貫通穴４０を通り水切り材８０から屋外に排出することができる。
【００５４】
本実施の形態および上述した各変形例では、スタータ金具１の上側平板部２２ａに貫通穴１２，１３を設ける構成としたが、図１２の変形例のスタータ金具６００に例示するように、貫通穴６１２，６１３は、下側平板部２２ｂに設ける構成としても良い。
【００５５】
本実施の形態および上述した各変形例では、横張り工法による施工に適用する構成としたが、外壁部材７０の長手方向が鉛直方向となるように外壁部材７０を取り付ける縦張り工法による施工に適用しても良い。
【００５６】
この場合、横片４には、折曲部４４に変えて図１３に示す折曲部７４４を設ける構成とすれば良い。折曲部７４４は、基部４２の左側端部を下方に折り曲げることにより構成される。
【００５７】
本実施の形態および上述した各変形例では、縦片２に凹溝部２４，１２４，２２４，３２４，４２４，５２４，８２４，９２４を設けてネジ９２の頭部９２ａや水切り材８０の折返部８０ａを収容する構成としたが、これに限らない。例えば、凹溝部２４，１２４，２２４，３２４，４２４，５２４，８２４，９２４に変えてネジ９２の頭部９２ａや水切り材８０の折返部８０ａを収容する貫通穴を縦片２に設ける構成としても良い。
【００５８】
本実施の形態および上述した各変形例では、凹溝部２４，１２４，２２４，３２４，４２４，５２４，８２４，９２４をスタータ金具１，１００，２００，３００，４００，５００，６００，７００，８００，９００の長手方向に連続して構成したが、これに限らない。例えば、ネジ９２の頭部９２ａや水切り材８０の折返部８０ａに対応する箇所のみに凹溝部２４，１２４，２２４，３２４，４２４，５２４，８２４，９２４を設ける構成としても良い。
【００５９】
本実施形態は、本発明を実施するための形態の一例を示すものである。したがって、本発明は、本実施形態の構成に限定されるものではない。
【符号の説明】
【００６０】
１，１００，２００，３００，４００，５００，６００，７００，８００，９００      スタータ金具（支持具）
２        縦片（取付固定部）
４        横片（延出部）
１２，６１２    貫通穴（挿通穴）
１３，６１３    貫通穴（挿通穴、長穴）
２２      平板部（平板部）
２２ａ    上側平板部（第２平板部）
２２ｂ    下側平板部（第１平板部）
２４，１２４，２２４，３２４，４２４，５２４，８２４，９２４    凹溝部（回避部、凹部）
４０      通気穴（貫通穴）
４２      基部
４４，７４４    折曲部
５０      土台（建物躯体）
６０      基礎
７０      外壁部材（外壁部材）
７０ａ    切欠き溝
８０      水切り材（水切り材）
８０ａ    折返部（突出部）
８２      防水紙
９２      ネジ
９２ａ    頭部
９４      スタータ固定ネジ（締結部材）
１２４ａ  底壁部
１２４ｂ  突出壁部
１２５    連通穴（連通穴）
【図１】
0006782530.tif 000002
【図２】
0006782530.tif 000003
【図３】
0006782530.tif 000004
【図４】
0006782530.tif 000005
【図５】
0006782530.tif 000006
【図６】
0006782530.tif 000007
【図７】
0006782530.tif 000008
【図８】
0006782530.tif 000009
【図９】
0006782530.tif 000010
【図１０】
0006782530.tif 000011
【図１１】
0006782530.tif 000012
【図１２】
0006782530.tif 000013
【図１３】
0006782530.tif 000014
【図１４】
0006782530.tif 000015
【図１５】
0006782530.tif 000016